(57)【要約】【課題】埃等の侵入を防止できる電子機器を提供する。【解決手段】電子機器１において、基台３と、基台３上に設けられた表示部４と、基台３上に設けられた操作スイッチ５と、を設ける。操作スイッチ５には、基台３に固定された接点部６を設け、接点部６に対して移動可能に設けられ、この移動により接点部６を切替える押圧操作部材７を設ける。このとき、押圧操作部材７の一部が表示部４上に乗り上げ、押圧操作部材７における表示部４上に乗り上げた部分の一部が表示部４の表面に接するようにする。そして、押圧操作部材７を、表示部４の表面に接した接触部分を支点として押圧操作部材７の移動方向に回動運動できるようにする。【選択図】図１
2007323948.tif 000002
【特許請求の範囲】
【請求項１】
基台と、
前記基台上に設けられた表示部と、
前記基台上に設けられた操作スイッチと、
を備え、
前記操作スイッチは、
前記基台に固定された接点部と、
前記接点部に対して移動可能に設けられ、前記移動により前記接点部を切替える押圧操作部材と、
を有し、
前記押圧操作部材の一部が前記表示部上に乗り上げており、前記押圧操作部材における前記表示部上に乗り上げた部分の一部が前記表示部の表面に接しており、前記押圧操作部材は、前記表示部の表面に接した接触部分を支点として前記移動方向への回動運動が可能であることを特徴とする電子機器。
【請求項２】
前記接触部分は、前記押圧操作部材における前記一部のうち、前記表示部の中央部側の端に位置していることを特徴とする請求項１記載の電子機器。
【請求項３】
前記押圧操作部材が前記回動運動するときに、前記押圧操作部材の下面における前記接触部分から離隔した部分は、前記表示部に接触しないことを特徴とする請求項１または２に記載の電子機器。
【請求項４】
前記押圧操作部材の下面において、前記接触部分はその周辺よりも突出していることを特徴とする請求項３記載の電子機器。
【請求項５】
前記押圧操作部材の下面において、前記離隔した部分の少なくとも一部に凹部が形成されていることを特徴とする請求項３記載の電子機器。
【請求項６】
前記表示部の上面において、前記押圧操作部材に接触する部分はその周辺よりも突出していることを特徴とする請求項３記載の電子機器。
【請求項７】
前記表示部の上面において、前記押圧操作部材に接触する部分以外の部分の少なくとも一部に凹部が形成されていることを特徴とする請求項３記載の電子機器。
【請求項８】
前記基台は、前記押圧操作部材の前記回動運動の軌道から外れる方向への移動を規制するガイド部材を有することを特徴とする請求項１〜７のいずれか１つに記載の電子機器。
【請求項９】
前記押圧操作部材を前記回動運動の軌道に沿って前記接点部から離れる方向に付勢する付勢手段と、
前記押圧操作部材の前記接点部から離れる方向への移動を規制する規制手段と、
をさらに備えたことを特徴とする請求項１〜８のいずれか１項に記載の電子機器。
【発明の詳細な説明】
【技術分野】
【０００１】
本発明は、電子機器に関し、特に、表示部及び操作スイッチを備えた電子機器に関する。
【背景技術】
【０００２】
携帯型テレビやＰＤＡ（personal data assistant）、電子ゲーム機器、各種のリモコンなどの電子機器には、この電子機器を操作するための操作スイッチと、この操作スイッチによる操作内容、電子機器の作動状態、操作に対応した各種の情報などを表示する表示部と、が設けられている。このような電子機器の操作性を向上させるために、表示部に表示させる表示内容に対して関連性が高い操作を行う操作スイッチを、表示部に近接させて配置する技術が知られている（例えば、特許文献１参照。）。
【０００３】
しかしながら、特許文献１に記載された技術においては、表示部と操作スイッチとの間に隙間があり、この隙間から埃等が侵入してしまうという問題点がある。この埃等が表示部の透明カバーの内側に付着したり、操作スイッチの可動部分に付着すると、これらの部分に付着した埃等は除去することが困難であるため、表示部の視認性を永続的に低下させたり、操作スイッチの動作を阻害したりする可能性がある。また、これらの埃等は、電子機器の故障の原因にもなる。
【０００４】
また、一般に液晶や蛍光管などを利用した表示部は、その周囲に表示が実行されない「額縁領域」が設けられ、その内側に表示が実行される表示領域が設けられている場合が多い。従って、このような表示部に近接させて操作スイッチを配置した場合、操作スイッチと表示領域との間には額縁領域が介在し、操作スイッチの直近に表示させることが困難であった。
【特許文献１】特開平１０−０６４３５７号公報
【発明の開示】
【発明が解決しようとする課題】
【０００５】
本発明の目的は、埃等の侵入を防止できる電子機器を提供することである。
【課題を解決するための手段】
【０００６】
本発明の一態様によれば、基台と、前記基台上に設けられた表示部と、前記基台上に設けられた操作スイッチと、を備え、前記操作スイッチは、前記基台に固定された接点部と、前記接点部に対して移動可能に設けられ、前記移動により前記接点部を切替える押圧操作部材と、を有し、前記押圧操作部材の一部が前記表示部上に乗り上げており、前記押圧操作部材における前記表示部上に乗り上げた部分の一部が前記表示部の表面に接しており、前記押圧操作部材は、前記表示部の表面に接した接触部分を支点として前記移動方向への回動運動が可能であることを特徴とする電子機器が提供される。
【発明の効果】
【０００７】
本発明によれば、埃等の侵入を防止できる電子機器を得ることができる。
【発明を実施するための最良の形態】
【０００８】
以下、図面を参照しつつ本発明の実施形態について説明する。  
先ず、本発明の第１の実施形態について説明する。
【０００９】
図１は、本実施形態に係る電子機器を例示する正面図である。  
また、図２は、本実施形態に係る電子機器を例示する断面図である。  
図１及び図２に示すように、本実施形態に係る電子機器１においては、筐体２が設けられており、筐体２の内部に、基台３が設けられている。そして、基台３上には、表示部４及び操作スイッチ５が隣り合うように設けられている。表示部４の上面及び操作スイッチ５の上面は、筐体２の開口部２ａから露出している。操作スイッチ５は、電子機器１を操作するためのスイッチである。また、表示部４は、操作スイッチ５による操作内容及び電子機器１の作動状態等の情報を表示するものである。
【００１０】
操作スイッチ５には、基台３に固定された接点部６と、接点部６に対して移動可能に設けられた押圧操作部７とが設けられている。押圧操作部７は、接点部６に対して移動することにより、接点部６における電気的な接続状態を切替えるものである。押圧操作部７は、接点部６から上方に向かって起立した部分と、この起立した部分の上端に連結された板状の部分とから構成されている。
【００１１】
そして、押圧操作部材７の一部、例えば、上述の板状の部分の端部は、表示部４に乗り上げている。このため、例えば、表示部４の上面の周辺領域は押圧操作部材７によって覆われており、表示部４の上面の中央領域は、外部に対して露出している。また、押圧操作部材７における表示部４に乗り上げた部分の一部が、表示部４の表面に接している。この押圧操作部材７における表示部４に接している接触部分８は、例えば、押圧操作部材７における表示部４の中央部側の端に位置している。
【００１２】
上述の如く構成された本実施形態に係る電子機器１においては、使用者が操作スイッチ５の押圧操作部材７の上面を下方に向けて押圧すると、押圧操作部材７は接触部分８を支点として往復回動運動する。このとき、押圧操作部材７における接触部分８から離隔した部分は、表示部４に接触しない。そして、押圧操作部材７は移動することにより接点部６に作用し、接点部６の電気的な接続状態を切替える。
【００１３】
本実施形態によれば、操作スイッチ５の押圧操作部材７の一部が表示部４の上面上に乗り上げており、押圧操作部材７の接触部分８が表示部４に接しており、押圧操作部材７はこの接触部分８を支点として回動するため、押圧操作部材７は常に表示部４に接触している。このため、操作スイッチ５と表示部４との間に埃、ゴミ又は水分等（以下、「埃等」という）が侵入することを防止できる。この結果、表示部４の内側に埃等が付着して視認性を低下させたり、操作スイッチ５の内部に埃等が侵入して作動不良となったり、電子機器１の内部に侵入して電子機器１を故障させたりすることを抑制でき、電子機器１の信頼性を向上させることができる。
【００１４】
また、本実施形態によれば、押圧操作部材７の支点である接触部分８が押圧操作部材７の端部に位置するため、押圧操作部材７において使用者が押圧可能な領域の面積を広くとることができる。この結果、操作スイッチ５は操作性が高い。  
更に、本実施形態によれば、押圧操作部材７の一部が表示部４の周辺領域を覆うため、表示部４の周辺領域の非表示部分を隠すことができる。
【００１５】
更にまた、本実施形態においては、押圧操作部材７における接触部分８から離隔した部分は表示部４に接触しないため、押圧操作部材７の回動運動の際に、接触部分８から離隔した部分が表示部４に当接することにより、押圧操作部材７が浮き上がることがない。これにより、表示部４と操作スイッチ５との間に埃等が侵入することを、より確実に防止できる。また、押圧操作部材７が浮き上がることがないため、押圧操作部材７の操作が滑らかである。
【００１６】
以下、本第１の実施形態に係る電子機器を具現化するための具体例について説明する。  先ず、本実施形態の第１の具体例について説明する。  
本具体例に係る電子機器は、トイレ装置に搭載された衛生洗浄装置、便器内の排水を制御する制御装置、及び便蓋の開閉を制御する制御装置、並びにトイレルームの暖房装置の制御装置等の電子機器（以下、総称して「衛生洗浄装置等」という）を操作するためのリモコン装置であり、トイレルームの壁に固定的に設置されている。
【００１７】
先ず、本具体例に係るリモコン装置の外観上の特徴について説明する。  
図３は、本具体例に係るリモコン装置を例示する斜視図である。なお、図３は、カバーが開いた状態を示しており、表面シートは図示を省略されている。  
図４は、本具体例に係るリモコン装置のリモコン本体を例示する正面図及び上面図であり、  
図５は、本具体例に係るリモコン装置を例示する平面図であり、カバーが閉じた状態を示し、  
図６は、本具体例に係るリモコン装置を例示する背面図である。
【００１８】
図３に示すように、本具体例に係るリモコン装置２１においては、リモコン本体２２と、カバー２３とが設けられている。リモコン装置２１が設置されている壁面（図示せず）に垂直な方向から見て、例えば、リモコン本体２２の外形とカバー２３の外形とは略一致しており、両方とも例えば角が丸められた正方形である。そして、カバー２３の一端部は、ヒンジ２４を介して、リモコン本体２２の下端部に回動自在に連結されている。これにより、カバー２３は、ヒンジ２４を回動中心として約１８０度の範囲で回動可能である。この結果、カバー２３は、上位置にあるときにはリモコン本体２２の前面を覆い、下位置にあるときにはリモコン本体２２の前面を露出させる。
【００１９】
以下、壁面に垂直な方向のうち、カバー２３が閉じているときに、リモコン本体２２からカバー２３に向かう方向を「前方」といい、カバー２３からリモコン本体２２に向かう方向を「後方」という。
【００２０】
図３及び図４に示すように、リモコン本体２２の前面の４ヶ所の角部には、それぞれスイッチ２５が設けられている。スイッチ２５は、押圧されることにより操作されるスイッチである。スイッチ２５には、衛生洗浄装置の操作のうち使用頻度が高い操作、例えば、局部洗浄用水の吐出の開始及び停止等の操作が割り当てられている。また、リモコン本体２２の前面の中央部には表示部２６が設けられている。表示部２６は、衛生洗浄装置等の操作内容の少なくとも一部、並びに現在時刻及びバッテリの残量等の情報を表示し、スイッチ２５、並びに後述するスイッチ２７及びスイッチ２８のうちいずれかのスイッチを押すと光るものである。
【００２１】
更に、リモコン本体２２の前面における表示部２６の周囲には、表示部２６を囲むように、複数個のスイッチ２７が設けられている。スイッチ２７は、押圧されることにより操作される操作スイッチである。スイッチ２７は例えば７個設けられており、表示部２６の上方に１個、左方、右方及び下方にそれぞれ２個配置されている。スイッチ２７の前面は、リモコン本体２２の前面に対して傾斜しており、その外周側、すなわち表示部２６から遠い側の端縁は、その内周側、すなわち、表示部２６側の端縁より前方に位置している。そして、各スイッチ２７の内周側の端部は表示部２６の保護板２６ｄ（図７参照）の端部に乗り上げており、スイッチ２７の前面は表示部２６の前面と略連続的な面をなしている。一方、各スイッチ２７の外周側の端縁はリモコン本体２２の前面よりも前方に位置している。従って、スイッチ２７はリモコン本体２２の前面における他の領域よりも前方に突出している。
【００２２】
スイッチ２７には、例えば、衛生洗浄装置の操作のうち、スイッチ２５に割り当てられた操作に次いで使用頻度が高い操作が割り当てられている。一例では、表示部２６の向かって左側に配置された２個のスイッチ２７は、局部洗浄用水の勢いを制御するものであり、この２個のスイッチ２７のうち上側のスイッチ２７の前面には「＋」、下側のスイッチ２７の前面には「−」の文字がそれぞれ表記されている。また、表示部２６の向かって右側に配置された２個のスイッチ２７は、局部洗浄用水の吐出位置を制御するものであり、この２個のスイッチ２７のうち上側のスイッチ２７の前面には「▲」、下側のスイッチ２７の前面には「▼」の記号がそれぞれ表記されている。これらのスイッチ２７を操作して局部洗浄用水の勢い及び位置を制御するときには、表示部２６の向かって左側の領域には、「水勢」の文字及び局部洗浄用水の勢いを示す図形が表示され、表示部２６の向かって右側の領域には、「洗浄位置」の文字及び局部洗浄用水の吐出位置を示す図形が表示される。これにより、使用者は、表示部２６の表示を見ながら、この表示に隣接したスイッチ２７を操作することにより、局部洗浄用水の勢い及び吐出位置を容易に制御することができる。
【００２３】
更に、表示部２６の上側に配置された１個のスイッチ２７は、衛生洗浄装置の乾燥機能、すなわち、使用者の局部に温風を噴射する機能を操作するものであり、このスイッチ２７の前面には「乾燥」の文字が表記されている。更にまた、表示部２６の下側に配置された２個のスイッチ２７は、それぞれ衛生洗浄装置のムーブ機能及びマッサージ機能を操作するものであり、これらのスイッチ２７の前面には、それぞれ「ムーブ  入／切」及び「マッサージ  入／切」の文字が表記されている。
【００２４】
更にまた、リモコン本体２２の前面における表示部２６及びスイッチ２７が配置されている領域の周囲には、複数個のスイッチ２８が設けられている。スイッチ２８も、押圧されることにより操作されるスイッチである。これらのスイッチ２８には、比較的使用頻度が低い操作が割り当てられている。例えば、スイッチ２８には、室内暖房機能の操作、衛生洗浄装置のモード設定、時刻設定、並びに局部洗浄用水、乾燥用温風、便座及び室内暖房の温度設定等の操作が割り当てられている。なお、この領域には軟質な表面シート２９が設けられており、スイッチ２８は表面シート２９に設けられた孔から臨むように配設されている。
【００２５】
更にまた、カバー２３により覆われないリモコン本体２２の上面には、使用者が立った状態で操作する頻度が高いスイッチ、例えば便器内の排水及び便蓋の開閉等を制御する制御装置を操作するためのスイッチ３０が設けられている。例えば、スイッチ３０は５個設けられており、それぞれのスイッチ３０の上面には、向かって左側から順に、大用の排水を行うことを示す「大」の文字及び図形、小用の排水を行うことを示す「小」の文字及び図形、便座及び便蓋の双方を閉じることを示す図形、便座を閉じ便蓋を開くことを示す図形、並びに、便座及び便蓋の双方を開くことを示す図形が表記されている。スイッチ３０は表面シート２９の上面側に設けられた切欠き部分から臨むように配置されている。これにより、スイッチ３０の前後方向の幅を、リモコン本体２２の前後方向の幅と等しくすることができるため、スイッチ３０の幅を最大限広くとることができる。この結果、スイッチ３０の操作面積が広くなり、操作性が向上する。
【００２６】
更にまた、リモコン本体２２の上面の左右両端部には、操作内容を表す制御信号を衛生洗浄装置等に対して送信する送信部３１が設けられている。送信部３１は、例えば赤外線を発信するものである。なお、衛生洗浄装置等には、この赤外線を受信する受信部が設けられている。
【００２７】
一方、カバー２３は、カバー２３を閉じたときにリモコン本体２２側に配置される下パネル４１と、リモコン本体２２の反対側に配置される上パネル４２とが重ねられて構成されている。ヒンジ２４は下パネル４１に連結されており、従って、カバー２３を閉じたときに、下パネル４１はリモコン本体２２に対して固定され、上パネル４２は下パネル４１により支持されている。
【００２８】
図５に示すように、カバー２３には、カバー２３を閉じたときにリモコン本体２２の表示部２６及びスイッチ２７を露出させる１つの開口部４５が形成されている。前方から見て、開口部４５はカバー２３の中央部に配置されており、その形状は例えば正方形である。開口部４５は、カバー２３の下パネル４１及び上パネル４２にそれぞれ形成された開口部により構成されている。これにより、カバー２３を閉じたときに、表示部２６及びスイッチ２７が開口部４５内に配置され、開口部４５を介して外部に露出される。
【００２９】
そして、カバー２３の前面の高さは、スイッチ２７の外周側、すなわち、表示部２６から遠い側の端縁の高さと略等しくなっている。一方、前述の如く、スイッチ２７の内周側、すなわち、表示部２６側の端部は、表示部２６の端部に乗り上げており、スイッチ２７の前面と表示部２６の前面とは略連続的な面を構成している。従って、カバー２３の前面、スイッチ２７の前面及び表示部２６の前面は、略連続的な面を構成している。これにより、カバー２３を閉じると、リモコン装置２１の前面は、全体的に略連続的な面となる。
【００３０】
また、カバー２３の前面における角部であって、カバー２３を閉じたときに、リモコン本体２２のスイッチ２５の前方に相当する領域には、皿状の凹部４６が形成されている。各凹部４６には、それぞれ対応するスイッチ２５の操作内容を示す表記が印刷されている。一例では、向かって上左側の凹部４６には、局部洗浄用水の吐出停止を表す「■」の記号が印刷され、その近傍には「止」の文字が印刷されている。また、向かって上右側の凹部４６には、通常の局部洗浄用水の吐出開始を表す図形が印刷され、その近傍には「おしり」の文字が印刷されている。更に、向かって下右側の凹部４６には、泡状の局部洗浄用水の吐水開始を表す図形が印刷され、その近傍には「やわらか」の文字が印刷されている。更にまた、向かって下左側の凹部４６には、ビデ用水の吐出開始を表す図形が印刷され、その近傍には「ビデ」の文字が印刷されている。  
なお、カバー２３の各押圧領域を識別するために、凹部４６の替わりに凸部を形成してもよく、凹凸部を形成してもよい。また、これらの凹部、凸部又は凹凸部は、カバー２３の押圧領域の一部に形成してもよく、押圧領域全体に形成してもよい。
【００３１】
一方、図６に示すように、リモコン本体２２の背面板４７（図７参照）には、リモコン本体２２を壁面に取り付けるためのハンガー４８が設けられている。
【００３２】
次に、本具体例に係るリモコン装置の内部構造の特徴について説明する。  
図７乃至図１９は、本具体例に係るリモコン装置の内部構造を例示する図である。  
すなわち、図７は、本具体例に係るリモコン装置を例示する鉛直方向及び前後方向の双方に平行な断面斜視図である。なお、図７においては、表面シートは図示を省略されている。  
また、図８は、本具体例に係るリモコン装置の下パネルを例示する斜視図であり、  
図９は、この下パネルに形成されたリブを例示する一部拡大斜視図である。
【００３３】
更に、図１０は、本具体例に係るリモコン装置を例示する平面図であり、  
図１１（ａ）及び（ｂ）は、それぞれ図１０に示すＡ−Ａ’線による断面図及び断面斜視図であり、  
図１２（ａ）及び（ｂ）は、それぞれ図１０に示すＢ−Ｂ’線による断面図及び断面斜視図であり、  
図１３（ａ）及び（ｂ）は、それぞれ図１０に示すＣ−Ｃ’線による断面図及び断面斜視図である。
【００３４】
更にまた、図１４（ａ）乃至（ｃ）は、本具体例に係るリモコン装置のガイド部材周辺を例示する断面図であり、（ａ）はキートップが押下されていない状態を示し、（ｂ）はキートップが通常の押圧方向以外の方向に押圧された状態を示し、（ｃ）はキートップがその移動域の下端に到達した状態を示す。
【００３５】
更にまた、図１５は、本具体例に係るリモコン装置を例示する平面図であり、  
図１６は、図１５に示すＤ−Ｄ’線による断面斜視図であり、  
図１７は、図１５に示すＤ−Ｄ’線による一部拡大断面斜視図であり、  
図１８は、図１５に示すＥ−Ｅ’線による断面斜視図であり、  
図１９は、図１５に示すＥ−Ｅ’線による一部拡大断面斜視図であり、  
図２０は、図１５に示すＦ−Ｆ’線による一部拡大断面斜視図である。
【００３６】
図７に示すように、リモコン本体２２においては、背面板４７の前面上に、制御基板を兼ねた支持架台５０が設けられており、この支持架台５０の前方には、リモコン本体２２の前面を構成するトッププレート４９が設けられている。そして、この支持架台５０及びトッププレート４９により、スイッチ２５、２７及び２８並びに表示部２６等のリモコン本体２２を構成する各部品を支持する基台が構成されている。
【００３７】
表示部２６においては、光源としてＬＥＤ（Light Emitting Diode：発光ダイオード）２６ａが設けられており、ＬＥＤ２６ａの出射光が到達する位置に、導光板２６ｂが設けられている。導光板２６ｂは、その側面から入射された光を、その前面から均一な面状に出射するものである。導光板２６ｂの前方には、液晶表示パネル２６ｃが設けられており、液晶表示パネル２６ｃの前方には、保護板２６ｄが設けられている。これにより、ＬＥＤ２６ａから出射した光が、導光板２６ｂの側面に入射し、導光板２６ｂの前面から前方に向けて面状に出射し、液晶表示パネル２６ｃを通過することにより画像が付加され、保護板２６ｄを透過して、表示部２６から前方に出射する。
【００３８】
また、図７及び図１０乃至図１４に示すように、スイッチ２７においては、リモコン本体２２の前面に露出したキートップ２７ａと、キートップ２７ａの後方に配置されリモコン本体２２の支持架台５０に取り付けられた接点部２７ｂとが設けられている。キートップ２７ａは、接点部２７ｂに対して移動可能とされており、使用者により押圧されて接点部２７ｂに対して移動することにより、接点部２７ｂの電気的な接続状態を切替える押圧操作部材である。
【００３９】
キートップ２７ａにおいては、スイッチ２７の前面を構成する前面板２７ｃと、前面板２７ｃの外周側の幅方向中央部から後方に延びた押圧部２７ｄと、前面板２７ｃの外周側の幅方向両端部から後方に延びた２対の係止部２７ｅと、が一体的に形成されている。押圧部２７ｄの先端部（後方側部分）は根元部（前方側部分）よりも薄くなっており、これにより、押圧部２７ｄの外周側の面には、段差２７ｆが形成されている。また、前面板２７ｃの内周側の端部２７ｇは、表示部２６の保護板２６ｄの前面上に乗り上げており、端部２７ｇの下面における内周側、すなわち、表示部２６の中央部側の端部は、後方に向けて突出した突出部２７ｈとなっており、この突出部２７ｈが、保護板２６ｄの前面に接している。なお、保護板２６ｄにおけるキートップ２７ａの突出部２７ｈとの接触部分は、キートップ２７ａの陰になっており、外部からは隠されている。さらに、キートップ２７ａの外周面の前部は、前方に向かうにつれて表示部２６側に湾曲している。
【００４０】
一方、トッププレート４９には、各対の係止部２７ｅ間に位置するようにスイッチ２７の幅方向に延びた円柱状の延出部４９ａと、キートップ２７ａの押圧部２７ｄから見て表示部２６の反対側に設けられ、キートップ２７ａが押下されたときに段差２７ｆが係合する張出部４９ｂと、押圧部２７ｄから見て表示部２６側に設けられた側壁部４９ｃと、が設けられている。延出部４９ａ、張出部４９ｂ及び側壁部４９ｃは、キートップ２７ａのその軌道から外れる方向への移動を規制するガイド部材である。
【００４１】
これにより、キートップ２７ａは、係止部２７ｅがトッププレート４９の延出部４９ａと係合することにより案内されて、前面板２７ｃの内周側の端部２７ｇの突出部２７ｈを支点として、前後方向に回動可能とされている。そして、係止部２７ｅが延出部４９ａにより係止されることによって、キートップ２７ａの移動域の前方側の端が規定され、段差２７ｆが張出部４９ｂに当接することにより、キートップ２７ａの移動域の後方側の端が規定される。すなわち、係止部２７ｅ及び延出部４９ａにより、キートップ２７ａの前方（接点部２７ｂから離れる方向）への移動を規制する規制手段が構成されている。一方、接点部２７ｂには、キートップ２７ａをその回動運動の軌道に沿って前方に付勢する付勢手段が設けられている。そして、この規制手段及び付勢手段により、キートップ２７ａは、外力が印加されないときには、その移動域の前方側の端部に位置するようになっている。
【００４２】
図１４（ａ）に示すように、キートップ２７ａが押圧されていないときには、キートップ２７ａは、張出部４９ｂ及び側壁部４９ｃには接触していない。  
一方、図１４（ｂ）に示すように、キートップ２７ａが通常の押圧方向以外の方向に押圧されると、キートップ２７ａは、通常の回動運動の軌道を外れる方向に移動しようとする。この場合は、キートップ２７ａがガイド部材のいずれか、すなわち、延出部４９ａ、張出部４９ｂ又は側壁部４９ｃに当接し、軌道を外れる方向へのそれ以上の移動が規制される。図１４（ｂ）に示す例では、キートップ２７ａの押圧部２７ｄが側壁部４９ｃに当接している。  
これにより、図１４（ｃ）に示すように、キートップ２７ａは本来の軌道に戻り、例えば、押圧部２７ｄが張出部４９ｂ又は側壁部４９ｃに沿って押圧方向に移動することにより、キートップ２７ａはガイド部材に案内されて後方に移動する。そして、接点部２７ｂを押下する。
【００４３】
図７に示すように、前方から見て、上パネル４２の外形は下パネル４１の外形よりも一回り大きく、また、上パネル４２の両側端縁及び上端縁における両端付近は、一旦後方に折り曲げられた後、内側に折り曲げられて、コ字状部４３となっている。コ字状部４３は、上パネル４２全体で８ヶ所形成されている。このコ字状部４３は、下パネル４１の端部に形成された係合部４４（図８参照）を包み込むことによって、上パネル４２の下パネル４１から離れる方向への移動を規制する規制手段として機能する。
【００４４】
図９は、図８に示す領域６０を拡大して示す図である。図８及び図９に示すように、下パネル４１の中央部には、カバー２３の開口部４５を構成する開口部５１が形成されている。また、下パネル４１の上パネル４２側の面における各辺部の中央であって、開口部５１に近接する領域には、下パネル４１の中央から周辺に向かって延びるリブ５２が設けられている。すなわち、下パネル４１の上パネル４２側の面においては、４本のリブ５２が放射状に配置されている。リブ５２は、上パネル４２の下パネル４１に向かう方向への移動を規制するものである。なお、本具体例においては、リブ５２を下パネルに設けているが、上パネルに設けてもよい。更に、下パネル４１の４ヶ所の角部には、孔５３が形成されている。更にまた、下パネル４１の端部における上パネル４２のコ字状部４３に係合する部分には、係合部４４が設けられている。
【００４５】
図１５及び図１６に示すように、下パネル４１には、上パネル４２を下パネル４１から離れる方向に向けて付勢する付勢手段としてのバネ５４が設けられている。そして、バネ５４が上パネル４２を下パネル４１から離れる方向に付勢し、前述のコ字状部４３（図２０参照）が係合部４４（図２０参照）を係合して上パネル４２の下パネル４１から離れる方向への移動を規制することにより、上パネル４２の下パネル４１に対する姿勢を一定に保っており、例えば、上パネル４２を下パネル４１に対して平行に保持している。
【００４６】
また、図７に示すように、上パネル４２の中央部には、開口部５７が形成されている。この開口部５７及び下パネル４１の開口部５１により、カバー２３の開口部４５が構成されている。更に、図１７乃至図１９に示すように、上パネル４２の４ヶ所の角部には、後方に向かって突出した突出部５６が形成されている。突出部５６は、下パネル４１の孔５３を挿通し、カバー２３を閉じたときに、リモコン本体２２のスイッチ２５に整合する位置に配置されている。なお、突出部５６は、バネ５４内を挿通する位置に配置されている。
【００４７】
更に、例えば図１１及び図１２に示すように、上パネル４２の開口部５７の側面の前部は、前方に向かうにつれて表示部２６側に湾曲している。これにより、開口部５７の側面は、キートップ２７ａの外周面に沿ってこの外周面を覆うように張り出し、開口部５７の側面とキートップ２７ａの外周面との間には、略均一な隙間が形成されている。この隙間の大きさは、上パネル４２及びキートップ２７ａの動作軌跡を考慮して、カバー２３とキートップ２７ａとが接触しない範囲で、極力小さく設計されている。
【００４８】
次に、本具体例に係るリモコン装置２１の動作について説明する。  
リモコン装置２１は、通常、カバー２３が閉じた状態で使用される。このとき、リモコン本体２２の中央部に設けられた表示部２６及びスイッチ２７は、カバー２３の開口部４５を介して外部に露出され、リモコン本体２２の前面におけるそれ以外の部分は、カバー２３により覆われる。従って、スイッチ２５及び２８はカバー２３により隠蔽されて見えない状態にある。また、リモコン本体２２の上面に配置されたスイッチ３０は、リモコン装置２１の上面において露出している。そして、使用者は、カバー２３が閉じた状態において、スイッチ２５、スイッチ２７及びスイッチ３０を操作することができ、また、表示部２６を視認することができる。一方、使用者は、カバー２３を開くことにより、スイッチ２８を操作することができる。この場合にも、表示部２６を視認することができ、スイッチ２７、２８及び３０を操作することができる。
【００４９】
次に、スイッチ２５を操作する際の動作について説明する。  
使用者がカバー２３に触れていないときは、カバー２３の下パネル４１のバネ５４が、上パネル４２を前方に向けて付勢し、一方、上パネル４２のコ字状部４３が下パネル４１の係合部４４に係合して、上パネル４２の前方への移動を規制する。これにより、上パネル４２は、下パネル４１に対して例えば平行に保持される。このとき、上パネル４２の突出部５６は、下パネル４１の孔５３を挿通しているが、スイッチ２５は押圧していない。
【００５０】
この状態で、使用者がカバー２３の上パネル４２の角部に形成された凹部４６又はその周辺領域を押圧すると、上パネル４２の角部がバネ５４の付勢力に打ち勝って下パネル４１に近づき、上パネル４２が下パネル４１に対して傾斜する。そうすると、この押圧された凹部４６の後方に位置する突出部５６が、下パネル４１の孔５３を介して、その後方に配置されたスイッチ２５を押圧する。この結果、このスイッチ２５が操作される。このとき、この押圧された角部以外の角部に配置された突出部５６は、対応するスイッチ２５を押圧しない。このようにして、使用者は、カバー２３を閉じた状態でスイッチ２５を操作することができる。そして、使用者が凹部４６から手を離すと、バネ５４の付勢力によって上パネル４２の姿勢が元の状態に戻り、スイッチ２５が元の状態に復帰する。
【００５１】
一方、使用者がカバー２３の辺部の中央付近を押圧した場合は、上パネル４２が下パネル４１のリブ５２に当接することにより、上パネル４２の後方への移動が規制される。このため、いずれのスイッチ２５も押圧されない。これにより、使用者がカバー２３の辺部の中央付近を押圧したときに、この辺部を挟む２個のスイッチ２５が操作されてしまうといった誤動作を防止することができる。  
このように、使用者はカバー２３の角部周辺の広い部位をスイッチ２５の操作が可能な領域として取り扱うことができるので、スイッチ操作可能な押圧領域が格段に広くなり、リモコン装置の操作性が向上する。
【００５２】
次に、スイッチ２７を操作する際の動作について説明する。  
図１０乃至図１４に示すように、使用者がキートップ２７ａに触れていないときは、押圧部２７ｄが接点部２７ｂの付勢力によって前方に押し上げられると共に、係止部２７ｅが延出部４９ａにより係止され、キートップ２７ａは移動域の前方側の端部に位置している。この状態では、接点部２７ｂは押下されていない。また、キートップ２７ａは、延出部４９ｂ及び側壁部４９ｃには接触していない。
【００５３】
この状態から、使用者がキートップ２７ａを押圧すると、キートップ２７ａが突出部２７ｈを支点として、接点部２７ｂの付勢力に逆らって下方に回動する。このとき、突出部２７ｈは保護板２６ｄに向けて突出しているため、キートップ２７ａの回動に伴い、キートップ２７ａの下面における突出部２７ｈから離隔した部分が保護板２６ｄに接触することはない。そして、キートップ２７ａは、押圧部２７ｄの段差２７ｆが張出部４９ｂに当接することにより、移動域の後方側の端部で停止する。このとき、押圧部２７ｄが接点部２７ｂを押下し、接点部２７ｂの接続状態が切り替わる。
【００５４】
その後、使用者がキートップ２７ａから手を離すと、接点部２７ｂの反力（付勢力）によりキートップ２７ａが前方側の端部に戻る。なお、このとき、表示部２６における操作しているスイッチ２７に隣接する領域に、スイッチ２７による操作結果を表示することができる。このように、キートップ２７ａが通常の押圧方向に押圧されたときは、キートップ２７ａは所定の軌道を回動運動するため、突出部２７ｈが保護板２６ｄから離れることがなく、また、キートップ２７ａがガイド部材としての張出部４９ｂ及び側壁部４９ｃに接触することもない。
【００５５】
一方、キートップ２７ａが通常の動作方向以外の方向に押圧されたときは、図１４（ａ）乃至（ｃ）に関して前述したように、キートップ２７ａはガイド部材によって軌道から外れる方向への移動を規制され、元の軌道に戻される。この場合にも、キートップ２７ａの押圧部２７ｄにより、接点部２７ｂが押下される。
【００５６】
そして、スイッチ２５、２７、２８及び３０による操作内容は送信部３１に伝達され、送信部３１がこの操作内容を表す制御信号を衛生洗浄装置等に向けて送信する。これにより、衛生洗浄装置等が要求された動作を実行する。なお、このとき、表示部２６がこの操作内容を表示してもよい。
【００５７】
次に、本具体例の効果について説明する。  
本具体例によれば、カバー２３を閉じた状態で、４個のスイッチ２５を押し分けることができる。このため、リモコン本体２２の上面に設けられた５個のスイッチ３０と合わせて、合計９個のスイッチをカバー２３を閉じたまま操作することができる。これにより、リモコン装置の主要な操作をカバー２３を閉じたまま行うことができ、便利であると共に、カバー２３を開く頻度が少なくなるため、リモコン本体２２の前面及びカバー２３の背面が汚れることを抑制できる。
【００５８】
また、本具体例によれば、カバー２３を閉じたときに、カバー２３に設けられた１つの開口部４５により表示部２６及びスイッチ２７を露出させており、また、スイッチ２５はカバー２３を介して操作することができるため、使用頻度が高い操作は、カバー２３を閉じたままで行うことができる。更に、カバー２３には開口部を１つだけ形成すればよいため、開口部内に埃が溜まることが少なく、また、開口部内の清掃が容易であるため、清浄性が優れている。
【００５９】
更にまた、スイッチ２７の端部が表示部２６の端部に乗り上げており、スイッチ２７の前面がリモコン本体２２の前面に対して傾斜しているため、表示部２６の前面、スイッチ２７の前面及びカバー２３の前面が略連続的な面を構成する。これにより、カバー２３を閉じると、リモコン装置２１の前面は、全体的に略連続的な面となる。この結果、リモコン装置２１を拭き掃除する際に、引っ掛かりが少なく、清掃作業性が優れている。また、見た目がすっきりしていると共に、スイッチ２７により表示部２６の非表示部分（糊代）を隠すことができ、意匠性が優れている。
【００６０】
更にまた、本具体例においては、使用者がスイッチ２７を操作する際に、表示部２６は、操作しているスイッチ２７に隣接する領域に、スイッチ２７による操作内容を表示することができる。これにより、使用者は、表示部２６の表示内容を見ながら、スイッチ２７を操作することができる。このとき、スイッチ２７の表示部２６側の端部が表示部２６上に乗り上げているため、スイッチ２７が表示部２６に極めて近い位置に配置され、また、スイッチ２７と表示部２６との間に他の部品が介在していないため、使用者に、表示部２６とスイッチ２７との間に強い連続感を想起させることができる。これにより、使用者は、表示部２６の表示領域及びスイッチ２７を一体的に認識することができるため、スイッチ２７の操作性が極めて良好になる。
【００６１】
更にまた、本具体例によれば、スイッチ２７のキートップ２７ａの突出部２７ｈが、表示部２６の保護板２６ｄの上面に接触しており、キートップ２７ａはこの接触部分を支点として回動するため、キートップ２７ａと表示部２６とは常に接触しており、これらの間に埃等が侵入することを防止できる。これにより、保護板２６ｄの背面に埃等が付着して表示部２６の視認性を低下させたり、スイッチ２７の接点部２７ｂの内部に埃等が侵入して接点部２７ｂに不具合を発生させたり、リモコン装置２１の他の部品に埃等が侵入して故障を引き起こしたりすることを防止できる。
【００６２】
また、突出部２７ｈは、キートップ２７ａの端部に位置しているため、キートップ２７ａにおける押圧操作が可能な領域を広くとることができる。これにより、スイッチ２７の操作性を向上させることができる。
【００６３】
更に、キートップ２７ａの回動動作の際に、キートップ２７ａにおける突出部２７ｈから離隔した部分は表示部２６に接触しないため、突出部２７ｈが表示部２６から浮き上がることがない。このため、埃等の侵入をより確実に防止できると共に、キートップ２７ａを滑らかに回動させることができる。
【００６４】
更にまた、トッププレート４９に、ガイド部材として延出部４９ａ、張出部４９ｂ及び側壁部４９ｃが形成されているため、使用者がキートップ２７ａを通常の押圧方向以外の方向に押下した場合にも、キートップ２７ａががたつくことがなく、確実に押下することができる。また、キートップ２７ａがその軌道を大きく外れてリモコン装置２１の内部で引っ掛かったり、リモコン装置２１から脱落したりすることを防止できる。
【００６５】
更にまた、スイッチ２７の接点部２７ｂには、キートップ２７ａをその軌道に沿って前方に付勢する付勢手段が設けられており、キートップ２７ａの係止部２７ｅとトッププレート４９の延出部４９ａとにより、キートップ２７ａの前方への移動を規制する規制部材が構成されているため、キートップ２７ａの待機位置を一定に保つことができる。これにより、並べて配置された複数個のスイッチ２７において、キートップ２７ａの待機位置を揃えることができると共に、キートップ２７ａを押下したときのストロークの長さも揃えることができ、使用感が向上する。
【００６６】
なお、キートップ２７ａが保護板２６ｄとの接触部分を支点として回動することにより、保護板２６ｄの材質によっては、保護板２６ｄにおけるキートップ２７ａとの接触部分に傷が付く可能性もあるが、この接触部分はキートップ２７ａの前面板２７ｃに覆われていて外部からは隠されているため、仮に傷が付いても、リモコン装置２１の外観を害することはない。
【００６７】
次に、本第１の実施形態の第２の具体例について説明する。  
図２１は、本具体例に係るリモコン装置を例示する一部拡大断面図である。  
図２１に示すように、本具体例に係るリモコン装置においては、前述の第１の具体例と比較して、キートップ２７ａの端部２７ｇに突出部が形成されておらず、その替わりに、表示部２６の保護板２６ｄの前面の周辺部が切削されて、凹部２６ｅとなっている。凹部２６ｅは、保護板２６ｄの前面におけるキートップ２７ａの端部２７ｇが接する領域よりも周辺側の領域に形成されている。これにより、キートップ２７ａは端部２７ｇを支点として回動し、この回動に際して、キートップ２７ａにおける端部２７ｇ以外の部分が保護板２６ｄに接触することがない。この結果、キートップ２７ａと表示部２６との間に埃等が侵入することを防止できる。本具体例における上記以外の構成、動作及び効果は、前述の第１の具体例と同様である。
【００６８】
次に、本実施形態の第３の具体例について説明する。  
図２２は、本具体例に係るリモコン装置を例示する一部拡大断面図である。  
図２２に示すように、本具体例に係るリモコン装置においては、前述の第１の具体例と比較して、キートップ２７ａの端部２７ｇには突出部が形成されておらず、その替わりに、表示部２６の保護板２６ｄの前面の周辺部に突出部２６ｆが形成されている。突出部２６ｆは、保護板２６ｄの前面におけるキートップ２７ａの端部２７ｇに対向する領域に形成されている。これにより、キートップ２７ａの端部２７ｇは保護板２６ｄの突出部２６ｆに当接し、キートップ２７ａは、この当接する部分を支点として回動する。また、この回動に際して、キートップ２７ａにおける突出部２６ｆに当接する部分以外の部分が、保護板２６ｄに接触することがなく、保護板２６ｄにおける突出部２６ｆ以外の部分がキートップ２７ａに接触することがない。本具体例における上記以外の構成、動作及び効果は、前述の第１の具体例と同様である。
【００６９】
次に、本実施形態の第４の具体例について説明する。  
図２３は、本具体例に係るリモコン装置を例示する一部拡大断面図である。  
図２３に示すように、本具体例に係るリモコン装置においては、前述の第１の具体例と比較して、キートップ２７ａの端部２７ｇに突出部は形成されておらず、その替わりに、端部２７ｇの背面における最端部２７ｉ以外の領域に、凹部２７ｊが形成されている。これにより、キートップ２７ａの最端部２７ｉが保護板２６ｄに当接し、キートップ２７ａは最端部２７ｉを支点として回動する。このとき、キートップ２７ａの背面には凹部２７ｊが形成されているため、キートップ２７ａが回動したときに、キートップ２７ａにおける最端部２７ｊ以外の部分が保護板２６ｄに接触することがない。本具体例における上記以外の構成、動作及び効果は、前述の第１の具体例と同様である。
【００７０】
次に、本実施形態の第５の具体例について説明する。  
図２４は、本具体例に係るリモコン装置を例示する一部拡大断面図である。  
図２４に示すように、本具体例に係るリモコン装置においては、前述の第１の具体例と比較して、キートップ２７ａの端部２７ｇの先端に突出部は形成されておらず、その替わりに、端部２７ｇの中ほどに突出部２７ｈが形成されている。つまり、キートップ２７ａの突出部２７ｈが保護板２６ｄに当接し、キートップ２７ａは突出部２７ｈを支点として回動する。例示したキートップ２７ａの端部２７ｇは、その先端に近いほど肉厚が薄くなるので、強く押すと端部２７ｇの全体あるいはその先端付近の部分がたわむこともあり得る。これに対して、本具体例のように、端部２７ｇの先端ではなく、肉厚がより大きい中ほどに突出部２７ｈを設けた場合には、強く押しても端部がたわみにくくなるという効果が得られる。本具体例における上記以外の構成、動作及び効果は、前述の第１の具体例と同様である。
【００７１】
なお、前述の各具体例は、相互に組み合わせて実施することもできる。例えば、第１の具体例と第２の具体例とを組み合わせて、キートップ２７ａに突出部２７ｈを形成すると共に保護板２６ｄに凹部２６ｅを形成してもよい。また、第１の具体例と第３の具体例とを組み合わせて、キートップ２７ａに突出部２７ｈを形成すると共に保護板２６ｄに突出部２６ｆを形成し、突出部２７ｈを突出部２６ｆに当接させて、この当接部分を回動中心としてもよい。更に、第２の具体例と第４の具体例とを組み合わせて、保護板２６ｄに凹部２６ｅを形成すると共にキートップ２７ａに凹部２７ｊを形成してもよい。いずれの方法を採用する場合にも、キートップ２７ａの回動動作による軌道を考慮して、表示部２６がキートップ２７ａの動作に干渉しないように、各部品の形状を決定すればよい。
【００７２】
次に、本発明の第２の実施形態について説明する。  
本実施形態においては、前述の各具体例又は変形例に係るリモコン装置を、衛生洗浄装置等が搭載されたトイレ装置に適用した例について説明する。  
図２５は、本発明の実施形態に係るリモコン装置により操作可能なトイレ装置の外観を例示する模式斜視図である。
【００７３】
図２５に示すように、このトイレ装置は、洋式腰掛便器８００と、その上に設けられた衛生洗浄装置１００と、を備える。衛生洗浄装置１００は、本体部４００と、便座２００と、便蓋３００と、を有する。便座２００と便蓋３００は、本体部４００に対してそれぞれ開閉自在に軸支されている。
【００７４】
本体部４００には、衛生洗浄を実現するための衛生洗浄機能部が内蔵されている。すなわち、着座センサ４２０により使用者が便座２００に座ったことを検知し、使用者のスイッチ操作などに応じて本体部４００から吐水ノズル（図示せず）を便器８００のボウル内に進出させ、その先端付近に設けられた吐水口から水を噴射して、便座に座った使用者の「おしり」などを洗浄可能とされている。なお、本願明細書において「水」という場合には、冷水のみならず、加熱されたお湯も含むものとする。
【００７５】
本実施形態の場合、本体部４００の上面には凹設部４１０が形成され、この凹設部４１０に一部が埋め込まれるように人体検知センサ５００が設けられている。人体検知センサ５００は、便蓋３００が閉じた状態においては、その基部付近に設けられた透過窓３１０を介して使用者の存在を検知する。
【００７６】
また、本体部４００には、「温風乾燥ユニット」や、「脱臭ユニット」、「室内暖房ユニット」などの各種の機構が適宜設けられ、その側面には、排気口４４０及び排出口４５０が適宜設けられている。また、使用者の接近を検知して便蓋３００を自動的に開き、使用者がいなくなると便蓋３００を自動的に閉じる「オート開閉機能」を設けることもできる。またさらに、便器８００に洗浄水を流す「自動水洗機能」を、衛生洗浄装置１００に付加してもよい。これは、ロータンクやフラッシュバルブの排水機構を動作させる駆動機構を設け、この駆動機構を動作させる信号を本体部４００から出力して、便器８００に自動的に洗浄水を流す機能である。
【００７７】
これらの機能は、本体部４００に設けられた操作部（図示せず）を適宜操作することにより実行・設定できるが、トイレの壁面などに設置されたリモコン装置を操作することにより実行させることも可能である。そして、本実施形態においては、このリモコン装置として、図１〜図２４に関して前述したリモコン装置を用いることにより、優れた清掃性、操作性、デザイン性などが得られ、快適なトイレルームを提供できる。
【００７８】
以上、具体例及び変形例を参照しつつ、本発明の実施形態について説明した。しかし、本発明は、これらの具体例及び変形例に限定されるものではない。例えば、リモコン装置の外形は角が丸められた正方形には限定されず、任意の形状とすることができる。また、カバーに形成された開口部の形状も正方形には限定されず、また、その配設位置もカバーの中央部には限定されない。更に、リモコン装置と衛生洗浄装置等との間の通信は、リモコン装置から衛生洗浄装置等への一方向通信に限定されず、衛生洗浄装置等からリモコン装置への通信も可能とした双方向通信であってもよい。これにより、例えば、衛生洗浄装置等の状態をリモコン装置の表示部に表示させることができる。この場合、リモコン装置と衛生洗浄装置等との間で送受信される制御信号は、赤外線方式に限定されず、他の波長の電磁波を利用してもよく、超音波を利用してもよく、または、有線方式により電気信号を送受信してもよい。更にまた、リモコン装置を駆動するための電力は内蔵した電池により供給されてもよく、家庭用電源から供給されてもよい。
【００７９】
また、上述の実施形態、具体例及び変形例は、技術的な可能な範囲において任意に組み合わせることができ、このような組み合わせによって得られたリモコン装置についても、本発明の要旨を含む限り、本発明の範囲に包含される。更に、上述の実施形態、具体例及び変形例並びにこれらの組み合わせに係るリモコン装置に対して、当業者が適宜設計変更を加えたものも、本発明の要旨を含む限り、本発明の範囲に包含される。更に、前述の各具体例においては、電子機器がトイレ装置に搭載された衛生洗浄装置等の電子機器のリモコン装置である例を示したが、本発明はこれに限定されず、あらゆる電子機器に適用することができ、本発明に係る電子機器は、例えば、携帯型テレビ受像機や、ＰＤＡ、電子ゲーム、あるいはＡＶ機器などのリモコン装置、車両用空調機器等の車載装置の制御装置、携帯電話機等の携帯用電子機器、ＡＴＭ（Automated Teller Machine：自動窓口機）及び自動販売機等の制御パネルなどにも好適に適用することができる。
【図面の簡単な説明】
【００８０】
【図１】本発明の第１の実施形態に係るリモコン装置を例示する正面図である。
【図２】本発明の第１の実施形態に係るリモコン装置を例示する断面図である。
【図３】第１の実施形態の第１の具体例に係るリモコン装置を例示する斜視図である。
【図４】本具体例に係るリモコン装置のリモコン本体を例示する正面図及び上面図である。
【図５】本具体例に係るリモコン装置を例示する平面図である。
【図６】本具体例に係るリモコン装置を例示する背面図である。
【図７】本具体例に係るリモコン装置を例示する鉛直方向及び前後方向に平行な断面斜視図である。
【図８】本具体例に係るリモコン装置の下パネルを例示する斜視図である。
【図９】この下パネルに形成されたリブを例示する一部拡大斜視図である。
【図１０】本具体例に係るリモコン装置を例示する平面図である。
【図１１】（ａ）及び（ｂ）は、それぞれ図１０に示すＡ−Ａ’線による断面図及び断面斜視図である。
【図１２】（ａ）及び（ｂ）は、それぞれ図１０に示すＢ−Ｂ’線による断面図及び断面斜視図である。
【図１３】（ａ）及び（ｂ）は、それぞれ図１０に示すＣ−Ｃ’線による断面図及び断面斜視図である。
【図１４】（ａ）乃至（ｃ）は、本具体例に係るリモコン装置のガイド部材周辺を例示する断面図であり、（ａ）はキートップが押下されていない状態を示し、（ｂ）はキートップが通常の押圧方向以外の方向に押圧された状態を示し、（ｃ）はキートップがその移動域の下端に到達した状態を示す。
【図１５】本具体例に係るリモコン装置を例示する平面図である。
【図１６】図１５に示すＤ−Ｄ’線による断面斜視図である。
【図１７】図１５に示すＤ−Ｄ’線による一部拡大断面斜視図である。
【図１８】図１５に示すＥ−Ｅ’線による断面斜視図である。
【図１９】図１５に示すＥ−Ｅ’線による一部拡大断面斜視図である。
【図２０】図１５に示すＦ−Ｆ’線による一部拡大断面斜視図である。
【図２１】第１の実施形態の第２の具体例に係るリモコン装置を例示する一部拡大断面図である。
【図２２】第１の実施形態の第３の具体例に係るリモコン装置を例示する一部拡大断面図である。
【図２３】第１の実施形態の第４の具体例に係るリモコン装置を例示する一部拡大断面図である。
【図２４】第１の実施形態の第５の具体例に係るリモコン装置を例示する一部拡大断面図である。
【図２５】本発明の第２の実施形態に係るリモコン装置により操作可能なトイレ装置の外観を例示する模式斜視図である。
【符号の説明】
【００８１】
１  電子機器、２  筐体、３  基台、４  表示部、５  操作スイッチ、６  接点部、７  押圧操作部、８  接触部分、２１  リモコン装置、２２  リモコン本体、２３  カバー、２４  ヒンジ、２５  スイッチ、２６  表示部、２６ａ  ＬＥＤ、２６ｂ  導光板、２６ｃ  液晶表示パネル、２６ｄ  保護板、２６ｅ  凹部、２６ｆ  突出部、２７  スイッチ、２７ａ  キートップ、２７ｂ  接点部、２７ｃ  前面板、２７ｄ  押圧部、２７ｅ  係止部、２７ｆ  段差、２７ｇ  端部、２７ｈ  突出部、２７ｉ  最端部、２７ｊ  凹部、２８  スイッチ、２９  表面シート、３０  スイッチ、３１  送信部、４１  下パネル、４２  上パネル、４３  コ字状部、４４  係合部、４５  開口部、４６  凹部、４７  背面板、４８  ハンガー、４９  トッププレート、４９ａ  延出部、４９ｂ  張出部、４９ｃ  側壁部、５０  支持架台、５１  開口部、５２  リブ、５３  孔、５４  バネ、５６  突出部、５７  開口部、６０  領域、６１  方向、６２  方向、１００  衛生洗浄装置、２００  便座、３００  便蓋、３１０  透過窓、４００  本体部、４２０  着座センサ、４４０  排気口、４５０  排出口、５００  人体検知センサ、８００  便器
【図１】
2007323948.tif 000003
【図２】
2007323948.tif 000004
【図３】
2007323948.tif 000005
【図４】
2007323948.tif 000006
【図５】
2007323948.tif 000007
【図６】
2007323948.tif 000008
【図７】
2007323948.tif 000009
【図８】
2007323948.tif 000010
【図９】
2007323948.tif 000011
【図１０】
2007323948.tif 000012
【図１１】
2007323948.tif 000013
【図１２】
2007323948.tif 000014
【図１３】
2007323948.tif 000015
【図１４】
2007323948.tif 000016
【図１５】
2007323948.tif 000017
【図１６】
2007323948.tif 000018
【図１７】
2007323948.tif 000019
【図１８】
2007323948.tif 000020
【図１９】
2007323948.tif 000021
【図２０】
2007323948.tif 000022
【図２１】
2007323948.tif 000023
【図２２】
2007323948.tif 000024
【図２３】
2007323948.tif 000025
【図２４】
2007323948.tif 000026
【図２５】
2007323948.tif 000027